(57)【要約】【課題】開閉装置において、開閉部の検出用突起が挿入される開口部の幅を狭くする。【解決手段】開閉装置（印刷装置１）は、筐体１０と、この筐体１０に開閉可能に取り付けられた操作扉２０（開閉部）と、操作扉２０の開閉状態を検出する検出部３０とを備える。操作扉２０は、検出用突起２１ａを有する。筐体１０は、検出用突起２１ａが挿入される開口部１２が設けられたカバー１１を有する。検出部３０は、検出用突起２１ａの開口部１２への挿入の有無に基づいて操作扉２０の開閉状態を検出する。検出用突起２１ａ（検出用突起２１ａ及びカバー１１のうち少なくとも一方）は、検出用突起２１ａの開口部１２への挿入方向Ｄ１（Ｙ方向）に交差するスライド方向Ｄ２（Ｘ方向）にスライド移動可能に配置されている。カバー１１には、検出用突起２１ａをスライド方向Ｄ２（Ｘ方向）に開口部１２へガイドするガイド部１４が設けられている。【選択図】図７
2020016828.tif 000002
【特許請求の範囲】
【請求項１】
筐体と、
前記筐体に開閉可能に取り付けられた開閉部と、
前記開閉部の開閉状態を検出する検出部とを備え、
前記開閉部は、検出用突起を有し、
前記筐体は、前記検出用突起が挿入される開口部が設けられたカバーを有し、
前記検出部は、前記検出用突起の前記開口部への挿入の有無に基づいて前記開閉部の開閉状態を検出し、
前記検出用突起及び前記カバーのうち少なくとも一方は、前記検出用突起の前記開口部への挿入方向に交差するスライド方向にスライド移動可能に配置され、
前記カバーには、前記検出用突起を前記スライド方向に前記開口部へガイドするガイド部が設けられている
ことを特徴とする開閉装置。
【請求項２】
前記検出用突起及び前記カバーのうち一方を前記スライド方向に付勢する弾性体を更に備え、
前記ガイド部は、前記開口部よりも前記弾性体の付勢方向側のみに設けられているか、又は、前記開口部よりも前記付勢方向側において当該付勢方向とは反対側よりも前記挿入方向に対する傾きが大きくなるように設けられている
ことを特徴とする請求項１に記載の開閉装置。
【発明の詳細な説明】
【技術分野】
【０００１】
本発明は、開閉部の開閉状態を検出する検出部を備える開閉装置に関する。
【背景技術】
【０００２】
従来、印刷装置には、操作扉の開閉状態を検出するためにインターロックスイッチが配置されている。このインターロックスイッチは、例えば、操作扉に設けられた検出用突起と、印刷装置の筐体の内部に配置され検出用突起によって押圧されるスイッチとを有する（例えば、特許文献１及び２参照）。
【０００３】
検出用突起は、操作扉が閉じた状態で、筐体のカバーに設けられた開口部に挿入されてスイッチを押圧する。そのため、スイッチが検出用突起によって押圧されている場合には、操作扉が閉じた状態であることを検出することができる。一方、スイッチが検出用突起によって押圧されていない場合には、操作扉が開いた状態であることを検出することができる。
【先行技術文献】
【特許文献】
【０００４】
【特許文献１】特開２００４−４３０７号公報
【特許文献２】特開平８−２８５１８３号公報
【発明の概要】
【発明が解決しようとする課題】
【０００５】
ところで、上述の検出用突起が挿入される開口部は、異物が入りにくいように狭い幅で設けられることが望ましい。
【０００６】
しかしながら、開口部の幅は、開閉部（操作扉等）を開閉可能に支持するヒンジから検出用突起までの各部の寸法公差、ヒンジから開口部までの各部の寸法公差などの影響を加味し、検出用突起の幅よりも十分に広い幅で設けられている。
【０００７】
本発明の目的は、開閉部の検出用突起が挿入される開口部の幅を狭くすることができる開閉装置を提供することである。
【課題を解決するための手段】
【０００８】
１つの態様では、開閉装置は、筐体と、前記筐体に開閉可能に取り付けられた開閉部と、前記開閉部の開閉状態を検出する検出部とを備え、前記開閉部は、検出用突起を有し、前記筐体は、前記検出用突起が挿入される開口部が設けられたカバーを有し、前記検出部は、前記検出用突起の前記開口部への挿入の有無に基づいて前記開閉部の開閉状態を検出し、前記検出用突起及び前記カバーのうち少なくとも一方は、前記検出用突起の前記開口部への挿入方向に交差するスライド方向にスライド移動可能に配置され、前記カバーには、前記検出用突起を前記スライド方向に前記開口部へガイドするガイド部が設けられている。
【発明の効果】
【０００９】
前記態様によれば、開閉部の検出用突起が挿入される開口部の幅を狭くすることができる。
【図面の簡単な説明】
【００１０】
【図１】印刷装置を示す斜視図である。
【図２】印刷装置の制御構成を示す図である。
【図３】検出用突起及び検出部の位置関係を説明するための平面図である。
【図４】第１実施形態におけるスライド部材を示す図である。
【図５】図４のＶ−Ｖ断面図である。
【図６】図４のVI−VI断面図である。
【図７】第１実施形態における開閉部の開閉状態の検出を説明するための説明図である。
【図８】第２実施形態における開閉部の開閉状態の検出を説明するための説明図である。
【図９】第３実施形態における開閉部の開閉状態の検出を説明するための説明図である。
【発明を実施するための形態】
【００１１】
以下、本発明の実施の形態に係る印刷装置について、図面を参照しながら説明する。
図１は、印刷装置１を示す斜視図である。
【００１２】
図２は、印刷装置１の制御構成を示す図である。
図３は、検出用突起２１ａ及び検出部３０の位置関係を説明するための平面図である。
【００１３】
なお、図１及び図３並びに後述する図４〜図９に示すＸ方向、Ｙ方向、及びＺ方向は、説明の便宜上の一例として付すものであって、Ｙ方向は、図１に示す検出用突起２１ａの開口部１２への挿入方向Ｄ１であり、Ｘ方向は、操作扉２０が閉じられる際のスライド部材２１（検出用突起２１ａ）のスライド方向Ｄ２であり、Ｚ方向は、鉛直方向である。そして、Ｘ方向、Ｙ方向、及びＺ方向は、互いに直交する。
【００１４】
図１に示すように、印刷装置１は、筐体１０と、開閉部の一例である操作扉２０と、検出部３０と、入力部６０と、表示部７０とを備える。また、図２に示すように、印刷装置１は、制御部４０と、記憶部５０と、印刷部８０と、搬送部９０とを更に備える。
【００１５】
なお、印刷装置１は、開閉装置を適用した装置の一例である。この開閉装置としては、筐体１０と、操作扉２０（開閉部）と、検出部３０とを備えるものであればよく、印刷装置１に適用される開閉装置に限られない。例えば、開閉装置が印刷装置１以外の装置に適用される場合には、筐体１０には、印刷部８０ではなく、他のユニットが収容されることになる。  筐体１０は、検出部３０、制御部４０、記憶部５０、印刷部８０、搬送部９０等の各部を収容する。但し、本実施の形態における筐体１０としては、操作扉２０を一例とする開閉部が開閉可能に取り付けられるものであれば、印刷装置１の全体に亘る大きさの筐体１０に限られない。また、筐体１０の収容対象は特に制限されない。
【００１６】
図１及び図３に示すように、操作扉２０は、例えば上下一対のヒンジ１３，１３によって、筐体１０に開閉可能に取り付けられている。すなわち、操作扉２０は、一対のヒンジ１３，１３を回動中心軸として、図１に示す開いた状態と図３に示す閉じた状態とに回動する。
【００１７】
なお、操作扉２０は、インク等の消耗品の交換のためにユーザが手動で開閉操作を行ったり或いは点検や修理のためにメンテナンス担当者が手動で開閉操作を行ったりすることで筐体１０の内部を開放させるためのものである。但し、操作扉２０を一例とする開閉部としては、筐体１０に開閉可能に取り付けられたものであれば、その他の位置に取り付けられるものであってもよい。
【００１８】
操作扉２０は、閉じた状態で筐体１０に対向する面に配置されたスライド部材２１を有する。このスライド部材２１は、検出用突起２１ａを有する。筐体１０のうち操作扉２０に対向する部分において検出部３０を覆うように配置されたカバー１１には、検出用突起２１ａが挿入される開口部１２が設けられている。検出用突起２１ａ及び開口部１２については後述する。
【００１９】
図３に示すように、検出部３０は、スイッチボタン３１と、被押圧部３２とを有する。スイッチボタン３１は、例えば薄板状の被押圧部３２を介して検出用突起２１ａによって押圧される。検出部３０は、スイッチボタン３１が検出用突起２１ａによって押圧されているか否か、すなわち検出用突起２１ａの開口部１２への挿入の有無に基づいて操作扉２０の開閉状態を検出する。
【００２０】
なお、検出部３０としては、スイッチボタン３１を有する押圧式のスイッチに限られず、例えば、検出用突起２１ａによって検出光が遮光されるか否かによって操作扉２０の開閉状態を検出する遮光センサなどの他の検出部であってもよい。
【００２１】
図２に示す制御部４０は、印刷装置１全体の動作を制御する演算処理装置として機能するプロセッサ（例えばＣＰＵ： Central Processing Unit）を有する。このプロセッサは、所定のプログラムを読み出して実行することによって、印刷装置１の各部の動作を制御する。例えば、制御部４０は、検出部３０の検出信号を取得し、この検出信号が操作扉２０が開いた状態であることを表す場合に、印刷部８０、搬送部９０等の動作を停止させる。
【００２２】
記憶部５０は、例えば、所定のプログラムが予め記録されている読み出し専用半導体メモリであるＲＯＭ（Read Only Memory）、制御部４０が各種のプログラムを実行する際に必要に応じて作業用記憶領域として使用される随時書き込み読み出し可能な半導体メモリであるＲＡＭ（Random Access Memory）、ハーディディスク装置などである。
【００２３】
図１に示すように、入力部６０は、電源ボタンなどの複数のボタン、テンキーなどを有し、ユーザによる各種の操作情報の入力を受け付ける。なお、入力部６０は、表示部７０に配置されるタッチパネルであってもよい。
【００２４】
表示部７０は、ユーザの入力操作のための表示画面などの各種情報を表示するディスプレイである。図１の例では、入力部６０及び表示部７０は、一体に設けられており、筐体１０の正面上部右側に配置されている。
【００２５】
印刷部８０は、被印刷媒体に対し印刷を行う。印刷部８０の印刷方式は、例えば、インクジェット印刷方式、孔版印刷方式などであるが、特に制限されない。
【００２６】
搬送部９０は、被印刷媒体の搬送を行う。
【００２７】
＜第１実施形態＞
図４は、第１実施形態におけるスライド部材２１を示す図である。
図５は、図４のＶ−Ｖ断面図である。
図６は、図４のVI−VI断面図である。
【００２８】
図７は、操作扉２０の開閉状態の検出を説明するための説明図である。
なお、図７では、図４に示すスライド部材２１が模式的に示されている。
【００２９】
図４に示すように、スライド部材２１は、図７に示すスライド方向Ｄ２（Ｘ方向）に長手方向が一致する細長い薄板状を呈する。スライド部材２１におけるスライド方向Ｄ２（Ｘ方向）の中心には、開口部１２に挿入される検出用突起２１ａが設けられている。
【００３０】
検出用突起２１ａは、図７に示す開口部１２への挿入方向Ｄ１（Ｙ方向）に突出する。検出用突起２１ａは、挿入方向Ｄ１（Ｙ方向）に直交するスライド方向Ｄ２（Ｘ方向）に一致する厚み方向を有する板状部材である。検出用突起２１ａは、スライド部材２１と一体に設けられているが、スライド部材２１とは別体の部材がスライド部材２１に固定されていてもよい。
【００３１】
図４及び図５に示すように、検出用突起２１ａのＺ方向の両端のそれぞれには、スライド方向Ｄ２（Ｘ方向）の両側に三角板形状の補強部２１ａ−１が１つずつ計４つ設けられている。そのため、図４に示すように、検出用突起２１ａは、挿入方向Ｄ１（Ｙ方向）から見てＩ字形状或いはＨ字形状を呈する。なお、検出用突起２１ａは、挿入方向Ｄ１（Ｙ方向）に長手方向が一致する棒状部材、針状部材（ピン）などであってもよく、形状は特に制限されない。
【００３２】
スライド部材２１の検出用突起２１ａを挟んでスライド方向Ｄ２（Ｘ方向）の両側には、挿入方向Ｄ１（Ｙ方向）とは反対向きに窪んだ凹部２１ｂが設けられている。この両側の凹部２１ｂ，２１ｂのそれぞれの一部には、挿入方向Ｄ１（Ｙ方向）にスライド部材２１を貫通する長孔２１ｃが形成されている。この長孔２１ｃ，２１ｃの長手方向は、スライド方向Ｄ２（Ｘ方向）に一致する。
【００３３】
スライド部材２１には、２つの長孔２１ｃ，２１ｃのそれぞれにおいて、段付きネジ２２が挿入されている。
【００３４】
図５及び図６に示すように、段付きネジ２２は、頭部２２ａと、段部２２ｂと、ネジ部２２ｃとを有する。
【００３５】
段付きネジ２２は、頭部２２ａ、段部２２ｂ、ネジ部２２ｃの順に径が小さくなり、ネジ部２２ｃにおいて、扉本体２０ａ（開閉部本体の一例）に固定され、段部２２ｂの底面は扉本体２０ａに接触している。
【００３６】
なお、図６に示すように、段部２２ｂの径は、スライド部材２１のスライド方向Ｄ２（Ｘ方向）におけるスライド移動を妨げずに且つスライド部材２１がＺ方向にスライドしない程度に、長孔２１ｃのＺ方向における幅よりも短い。そして、頭部２２ａの底面は、スライド部材２１のスライド方向Ｄ２（Ｘ方向）におけるスライド移動を妨げない程度に、凹部２１ｂの底面との間に隙間を隔てて位置する。なお、頭部２２ａの径は、凹部２１ｂのＺ方向における幅よりも短い。
【００３７】
スライド部材２１は、上述の構成によって、操作扉２０が閉じられる際に検出用突起２１ａが図７に示す後述するガイド部１４によってガイドされることで、スライド方向Ｄ２（Ｘ方向）にスライド移動する。スライド部材２１がスライド移動できる範囲は、長孔２１ｃに挿入された移動不能な段付きネジ２２に対して、長孔２１ｃの位置が変動可能な範囲である。
【００３８】
なお、スライド部材２１（検出用突起２１ａ）をスライド移動可能とするための構成として、段付きネジ２２及び長孔２１ｃを用いた構成を例として説明しているが、スライド部材２１が扉本体２０ａに対してスナップフィットで取り付けられた状態（例えば、一方に設けられた爪部が他方に係合した状態）でスライド部材２１と扉本体２０ａとの係合部分にスライド方向Ｄ２（Ｘ方向）の隙間を設けることで、スライド部材２１がスライド方向Ｄ２（Ｘ方向）にスライド移動可能となる構成が採用されてもよい。或いは、スライド部材２１が扉本体２０ａに設けられたレール上をスライド移動可能な構成などの他の構成が採用されてもよい。
【００３９】
スライド部材２１（検出用突起２１ａ）がスライド移動する方向は、単一の方向（Ｘ方向）に限られず、挿入方向Ｄ１（Ｙ方向）に直交するＸＺ平面において自在にスライド移動可能であってもよい。このように検出用突起２１ａをＸＺ平面において自在にスライド移動可能とするためには、例えば、上述のようにスライド部材２１が扉本体２０ａに対してスナップフィットで取り付けられた状態で係合部分にＸ方向及びＺ方向の隙間を設ける構成などが採用されればよい。
【００４０】
図７に示すように、筐体１０のカバー１１には、検出用突起２１ａをスライド方向Ｄ２（Ｘ方向）に開口部１２へガイドするガイド部１４，１４が設けられている。ガイド部１４，１４は、スライド部材２１のスライド方向Ｄ２（Ｘ方向）における開口部１２の両側に設けられている。ガイド部１４，１４は、挿入方向Ｄ１（Ｙ方向）に対する傾きθを有することで、互いの間隔が操作扉２０側から開口部１２（幅Ｗ１）側に向かって漸減する。
【００４１】
ガイド部１４は、例えば、カバー１１のうち開口部１２に隣接する部分が検出部３０側に屈曲した傾斜部である。ガイド部１４は、平面板状を呈するが、曲面板状を呈していてもよい。
【００４２】
上述のように、スライド部材２１のスライド方向Ｄ２（Ｘ方向）において、ガイド部１４が開口部１２の両側に設けられているため、操作扉２０が閉じられる際には、検出用突起２１ａが一方のガイド部１４によってガイドされることでスライド方向Ｄ２（Ｘ方向）にスライドしながら開口部１２に挿入される。これにより、検出用突起２１ａが被押圧部３２を介してスイッチボタン３１を押圧することができる。
【００４３】
なお、開口部１２は、操作扉２０側から挿入方向Ｄ１（Ｙ方向）に見た場合、図１に示すように、Ｚ方向の幅よりもスライド方向Ｄ２（Ｘ方向）の幅Ｗ１が狭い矩形状を呈する。仮に、検出用突起２１ａがＺ方向にもスライド移動可能であり、且つ検出用突起２１ａをＺ方向に開口部１２へガイドするガイド部が設けられている場合には、後述するように開口部１２のスライド方向（Ｘ方向）の幅Ｗ１を狭くすることができるのと同様に、開口部１２のＺ方向の幅を狭くすることができる。但し、本実施形態では、より幅が狭いスライド方向（Ｘ方向）の幅Ｗ１を更に狭くする構成を例として説明している。
【００４４】
また、上述の例では、検出用突起２１ａがスライド部材２１に設けられることで、スライド部材２１と一体にスライド方向Ｄ２（Ｘ方向）にスライド移動する態様について説明したが、カバー１１（開口部１２）がスライド方向Ｄ２（Ｘ方向）にスライド移動可能に配置されていてもよい。その場合、カバー１１は、他のカバーに対して、上述のような、段付きネジ２２及び長孔２１ｃを用いた構成や、スナップフィットを用いた構成、レールを用いた構成などによってスライド移動可能に配置されているとよい。
【００４５】
以上説明した第１実施形態では、開閉装置（印刷装置１）は、筐体１０と、この筐体１０に開閉可能に取り付けられた開閉部の一例である操作扉２０と、この操作扉２０の開閉状態を検出する検出部３０とを備える。操作扉２０は、検出用突起２１ａを有する。筐体１０は、検出用突起２１ａが挿入される開口部１２が設けられたカバー１１を有する。検出部３０は、検出用突起２１ａの開口部１２への挿入の有無に基づいて操作扉２０の開閉状態を検出する。検出用突起２１ａ（検出用突起２１ａ及びカバー１１のうち少なくとも一方の一例）は、検出用突起２１ａの開口部１２への挿入方向Ｄ１（Ｙ方向）に交差するスライド方向Ｄ２（Ｘ方向）にスライド移動可能に配置されている。カバー１１には、検出用突起２１ａをスライド方向Ｄ２（Ｘ方向）に開口部１２へガイドするガイド部１４，１４が設けられている。
【００４６】
このように、本第１実施形態では、検出用突起２１ａは、挿入方向Ｄ１（Ｙ方向）に交差するスライド方向Ｄ２（Ｘ方向）にスライド移動可能に配置され、ガイド部１４は、検出用突起２１ａをスライド方向Ｄ２（Ｘ方向）に開口部１２へガイドする。そのため、ヒンジ１３から検出用突起２１ａまでの各部の寸法公差や、ヒンジ１３から開口部１２までの各部の寸法公差に起因する検出用突起２１ａの開口部１２に対する位置ズレを、検出用突起２１ａのスライド移動によって吸収することができる。これにより、検出用突起２１ａの幅及び幅の公差並びに開口部１２の幅Ｗ１の公差によって開口部１２の幅Ｗ１を決定することができる。よって、本実施の形態によれば、操作扉２０の検出用突起２１ａが挿入される開口部１２の幅Ｗ１を狭くすることができる。また、このように開口部１２の幅Ｗ１を狭くすることができることによって、開口部１２に異物が入りにくくすることも可能となる。更には、ガイド部１４が検出用突起２１ａをスライド方向Ｄ２（Ｘ方向）に開口部１２へガイドするため、検出用突起２１ａを開口部１２に確実に挿入させることができる。
【００４７】
また、本第１実施形態では、検出用突起２１ａは、挿入方向Ｄ１（Ｙ方向）に交差する厚み方向（Ｘ方向）を有する板状部材であり、スライド方向Ｄ２（Ｘ方向）は、板状部材の厚み方向（Ｘ方向）である。
【００４８】
＜第２実施形態＞
図８は、第２実施形態における操作扉２０の開閉状態の検出を説明するための説明図である。
【００４９】
本第２実施形態では、弾性体の一例である引張りバネ２３が検出用突起２１ａをスライド方向Ｄ２（Ｘ方向）である付勢方向Ｄ３に付勢する点、及び、ガイド部１４が開口部１２よりも引張りバネ２３の付勢方向Ｄ３側のみに設けられている点において、上述の第１実施形態と相違する。その他の構成については第１実施形態と同様にすることができるため、詳細な説明は省略する。
【００５０】
図８に示すように、引張りバネ２３の一端は、扉本体２０ａに固定されたバネ取付け部材２４に取り付けられている。引張りバネ２３の他端は、スライド部材２１に取り付けられている。これにより、スライド部材２１は、引張りバネ２３によって、スライド方向Ｄ２（Ｘ方向）の一方である付勢方向Ｄ３に引っ張られる。
【００５１】
ガイド部１４は、開口部１２よりも引張りバネ２３の付勢方向Ｄ３側のみに設けられている。開口部１２よりも付勢方向Ｄ３とは反対側には、図７に示すガイド部１４の代わりに非傾斜部１５が設けられている。この非傾斜部１５は、挿入方向Ｄ１（Ｙ方向）に対して傾斜していない例えば平面板状を呈する。
【００５２】
スライド部材２１が引張りバネ２３によって付勢方向Ｄ３に付勢されているため、操作扉２０が閉じられる際には、検出用突起２１ａは、開口部１２よりも付勢方向Ｄ３側に位置し、ガイド部１４によってガイドされることで引張りバネ２３の付勢力に抗して付勢方向Ｄ３とは反対方向Ｄ４にスライドしながら開口部１２に挿入される。これにより、検出用突起２１ａが被押圧部３２を介してスイッチボタン３１を押圧することができる。
【００５３】
なお、図８に示す例では、開口部１２よりも付勢方向Ｄ３側のみにガイド部１４が設けられているが、非傾斜部１５に代えて、例えば、検出用突起２１ａの形状に合わせて、挿入方向Ｄ１（Ｙ方向）に対して傾斜する傾斜面（ガイド部）が設けられていてもよい。この傾斜面は、操作扉２０側から開口部１２（幅Ｗ１）側に向かってガイド部１４との間隔が漸減するように挿入方向Ｄ１（Ｙ方向）に対して傾斜する。但し、開口部１２よりも付勢方向Ｄ３側に設けられたガイド部１４は、開口部１２よりも付勢方向Ｄ３とは反対側に設けられた上記の傾斜面と比較して、挿入方向Ｄ１（Ｙ方向）に対する傾きθが大きくなるように設けられているとよい。
【００５４】
また、上述のようにスライド部材２１に代えてカバー１１がスライド移動する態様（スライド部材２１及びカバー１１の両方がスライド移動してもよい）が採用される場合には、引張りバネ２３は、スライド部材２１に代えて、カバー１１をスライド方向Ｄ２（Ｘ方向）に付勢するとよい。
【００５５】
以上説明した第２実施形態では、上述の第１実施形態と同様の構成に関しては、第１実施形態と同様の効果、すなわち、操作扉２０の検出用突起２１ａが挿入される開口部１２の幅Ｗ２を狭くすることができるなどの効果を得ることができる。
【００５６】
また、本第２実施形態では、開閉装置（印刷装置１）は、検出用突起２１ａ（検出用突起２１ａ及びカバー１１のうち一方の一例）をスライド方向Ｄ２（Ｘ方向）に付勢する弾性体の一例である引張りバネ２３を更に備える。また、ガイド部１４は、開口部１２よりも引張りバネ２３の付勢方向Ｄ３側のみに設けられているか、又は、開口部１２よりも付勢方向Ｄ３側において当該付勢方向Ｄ３とは反対側よりも挿入方向Ｄ１（Ｙ方向）に対して傾きが大きくなるように設けられている。このように、引張りバネ２３によってスライド部材２１が付勢方向Ｄ３に付勢されていることで、開口部１２よりも付勢方向Ｄ３側のガイド部１４のみが検出用突起２１ａを開口部１２へガイドするようにすることができる。そのため、第１実施形態のように開口部１２の両側にガイド部１４，１４を設ける態様と比較して、開口部１２の幅Ｗ２のみならず、カバー１１における検出用突起２１ａの挿入口（ガイド部１４の操作扉２０側の端部）の幅を狭くすることもできる。
【００５７】
＜第３実施形態＞
図９は、第３実施形態における操作扉２０の開閉状態の検出を説明するための説明図である。
【００５８】
本第３実施形態では、弾性体の一例として、引張りバネ２３に代えて圧縮バネ２５が配置されている点のみ上述の第２実施形態と相違し、その他の構成については第１実施形態又は第２実施形態と同様にすることができる。そのため、詳細な説明は省略する。
【００５９】
図９に示すように、圧縮バネ２５の一端は、扉本体２０ａに固定されたバネ取付け部材２６に取り付けられている。圧縮バネ２５の他端は、スライド部材２１に取り付けられている。これにより、スライド部材２１は、圧縮バネ２５によって、スライド方向Ｄ２（Ｘ方向）の一方である付勢方向Ｄ５に押圧される。
【００６０】
ガイド部１４は、第２実施形態と同様に、開口部１２よりも圧縮バネ２５の付勢方向Ｄ５側のみに設けられている。
【００６１】
スライド部材２１が圧縮バネ２５によって付勢方向Ｄ５に付勢されているため、操作扉２０が閉じられる際には、検出用突起２１ａは、開口部１２よりも付勢方向Ｄ５側に位置し、ガイド部１４によってガイドされることで圧縮バネ２５の付勢力に抗して付勢方向Ｄ５とは反対方向Ｄ６にスライドしながら開口部１２に挿入される。これにより、検出用突起２１ａが被押圧部３２を介してスイッチボタン３１を押圧することができる。
【００６２】
なお、第２実施形態において述べたように、スライド部材２１に代えてカバー１１がスライド移動する態様（スライド部材２１及びカバー１１の両方がスライド移動してもよい）が採用される場合には、圧縮バネ２５は、スライド部材２１に代えて、カバー１１をスライド方向Ｄ２（Ｘ方向）に付勢するとよい。
【００６３】
以上説明した第３実施形態では、上述の第１実施形態又は第２実施形態と同様の構成に関して、第１実施形態又は第２実施形態と同様の効果、すなわち、操作扉２０の検出用突起２１ａが挿入される開口部１２の幅Ｗ３を狭くすることができるなどの効果を得ることができる。
【００６４】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。以下に、本願の出願当初の特許請求の範囲に記載された発明を付記する。
【００６５】
［付記１］
筐体と、
前記筐体に開閉可能に取り付けられた開閉部と、
前記開閉部の開閉状態を検出する検出部とを備え、
前記開閉部は、検出用突起を有し、
前記筐体は、前記検出用突起が挿入される開口部が設けられたカバーを有し、
前記検出部は、前記検出用突起の前記開口部への挿入の有無に基づいて前記開閉部の開閉状態を検出し、
前記検出用突起及び前記カバーのうち少なくとも一方は、前記検出用突起の前記開口部への挿入方向に交差するスライド方向にスライド移動可能に配置され、
前記カバーには、前記検出用突起を前記スライド方向に前記開口部へガイドするガイド部が設けられている
ことを特徴とする開閉装置。
【００６６】
［付記２］
前記検出用突起及び前記カバーのうち一方を前記スライド方向に付勢する弾性体を更に備え、
前記ガイド部は、前記開口部よりも前記弾性体の付勢方向側のみに設けられているか、又は、前記開口部よりも前記付勢方向側において当該付勢方向とは反対側よりも前記挿入方向に対する傾きが大きくなるように設けられている
ことを特徴とする付記１に記載の開閉装置。
【符号の説明】
【００６７】
１  印刷装置
１０  筐体
１１  カバー
１２  開口部
１３  ヒンジ
１４  ガイド部
１５  非傾斜部
２０  操作扉
２０ａ  扉本体
２１  スライド部材
２１ａ  検出用突起
２１ａ−１  補強部
２１ｂ  凹部
２１ｃ  長孔
２２  段付きネジ
２２ａ  頭部
２２ｂ  段部
２２ｃ  ネジ部
２３  引張りバネ
２４  バネ取付け部材
２５  圧縮バネ
２６  バネ取付け部材
３０  検出部
３１  スイッチボタン
３２  被押圧部
４０  制御部
５０  記憶部
６０  入力部
７０  表示部
８０  印刷部
９０  搬送部
【図１】
2020016828.tif 000003
【図２】
2020016828.tif 000004
【図３】
2020016828.tif 000005
【図４】
2020016828.tif 000006
【図５】
2020016828.tif 000007
【図６】
2020016828.tif 000008
【図７】
2020016828.tif 000009
【図８】
2020016828.tif 000010
【図９】
2020016828.tif 000011